(57)【要約】【課題】  ツマミ、ノブ、ダイアル等を備える映像音響機器の回転スイッチ装置に関し、簡単な構成で、ツマミのガタつきを高い精度に収めた回転スイッチ装置を提供する。【解決手段】  回転スイッチ装置は、スイッチ部を収容するケースと、ケースから突出して回転するシャフトと、を有する回転スイッチと、シャフトに咬合して回転操作される回転ツマミと、を備える回転スイッチ装置であって、回転スイッチのケースが、ケースから円筒状に突出し、かつ、その中心軸がシャフトの回転軸と一致する円筒状凸部を備え、回転ツマミが、シャフトと咬合するシャフト咬合部と、円筒状凸部と嵌合する円筒状凹部と、を備える。【選択図】  図２
2007059064.tif 000002
【特許請求の範囲】
【請求項１】
スイッチ部を収容するケースと、該ケースから突出して回転するシャフトと、を有する回転スイッチと、
該シャフトに咬合して回転操作される回転ツマミと、
を備える回転スイッチ装置であって、
該回転スイッチのケースが、該ケースから円筒状に突出し、かつ、その中心軸が該シャフトの回転軸と一致する円筒状凸部を備え、
該回転ツマミが、該シャフトと咬合するシャフト咬合部と、該円筒状凸部と嵌合する円筒状凹部と、を備える、
回転スイッチ装置。
【請求項２】
前記回転ツマミのシャフト咬合部が、前記シャフトの回転軸と直交する断面において略Ｄ字状に規定される内部空間を有し、
前記回転スイッチのシャフトが、前記回転ツマミのシャフト咬合部と咬合する部分において、該シャフトの前記回転軸と直交する断面方向に略Ｄ字状断面を備える、
請求項１に記載の回転スイッチ装置。
【請求項３】
前記回転ツマミの円筒状凹部が、前記シャフトの回転軸と直交する断面においてシャフトの回転軸を中心とする円形に規定される内部空間を有し、
前記回転スイッチのケースの円筒状凸部が、その最大外径が該内部空間の直径に略等しい円筒曲面を有する、
請求項１または２に記載の回転スイッチ装置。
【請求項４】
前記回転スイッチのケースの円筒状凸部が、前記円筒曲面に、ナットが螺合する螺旋溝を有する、
請求項３に記載の回転スイッチ装置。
【請求項５】
前記回転ツマミが、少なくとも前記円筒状凹部が形成された回転ツマミホルダと、該回転ツマミホルダと咬合する回転ツマミ体と、から構成される、
請求項１から４のいずれかに記載の回転スイッチ装置。
【請求項６】
前記回転ツマミホルダが、前記シャフト咬合部をさらに有する、
請求項５に記載の回転スイッチ装置。
【請求項７】
前記回転ツマミホルダが、樹脂から形成され、前記回転ツマミ体が、アルミニウムを含む金属から構成される、
請求項５から６に記載の回転スイッチ装置。
【請求項８】
請求項１から７に記載の回転スイッチ装置を含む、映像音響機器。
【発明の詳細な説明】
【技術分野】
【０００１】
本発明は、映像音響機器の操作部分に使用される回転スイッチ装置に関し、特に、セレクタスイッチ、ロータリエンコーダ、等の回転スイッチと、回転スイッチのシャフトに取り付けられるツマミ、ノブ、ダイアル等を備える回転スイッチ装置に関する。
【背景技術】
【０００２】
映像音響機器においては、セレクタスイッチ、ロータリエンコーダ等の回転スイッチは、例えば、前面パネルの操作部分に設けられ、回転スイッチのシャフトには、使用者が操作しやすいようにツマミ、ノブ、ダイアル等が取り付けられて、回転スイッチ装置を構成する。回転スイッチのケースには、前面パネルに固定するための螺旋溝を有する円筒状凸部が設けられており、回転スイッチは、螺旋溝に螺合するナットにより前面パネルの取付孔に固定される。
【０００３】
ここで、回転スイッチ装置においては、回転スイッチのシャフトに取り付けられたツマミがガタつくことが無く、または、揺れが無く、滑らかに回転するのが望ましい。しかし、ツマミの回転精度は、回転スイッチにおけるシャフト回転精度に支配され、安価なセレクタスイッチ、ロータリエンコーダ等においては、一定値以下のガタが許容されている。その結果、回転スイッチ装置を備える映像音響機器においては、操作部分のツマミがガタつくという問題がある。
【０００４】
従来には、シャフトに取り付けるダイアルに新たに嵌合筒を設けて、これを前面パネルに設けられる挿通孔に嵌合させて、回転操作ダイアル装置のダイアルの倒れを防止するものがある。（特許文献１）。
【０００５】
【特許文献１】特開平１０−２９４０４３号公報  （第１図）
【０００６】
しかしながら、映像音響機器の回転スイッチ装置においては、その前面パネルにツマミの回転精度を規制する嵌合構造を設けることができない場合がある。回転スイッチを前面パネルに直接取り付けることができない場合には、回転スイッチは固定ブラケット等を介して前面パネルに固定されるが、前面パネルの嵌合構造では、組み立て寸法精度の公差により、ツマミのガタつきを、高価な映像音響機器等において期待される高い精度に収めることができない、という問題がある。
【発明の開示】
【発明が解決しようとする課題】
【０００７】
本発明は、上記の従来技術が有する問題を解決するためになされたものであり、その目的は、ツマミ、ノブ、ダイアル等を備える映像音響機器の回転スイッチ装置に関し、その前面パネルにツマミの回転精度を規制する嵌合構造を設けることができない場合であっても、簡単な構成で、ツマミのガタつきを高い精度に収めた回転スイッチ装置を提供することにある。
【課題を解決するための手段】
【０００８】
本発明の回転スイッチ装置は、スイッチ部を収容するケースと、ケースから突出して回転するシャフトと、を有する回転スイッチと、シャフトに咬合して回転操作される回転ツマミと、を備える回転スイッチ装置であって、回転スイッチのケースが、ケースから円筒状に突出し、かつ、その中心軸がシャフトの回転軸と一致する円筒状凸部を備え、回転ツマミが、シャフトと咬合するシャフト咬合部と、円筒状凸部と嵌合する円筒状凹部と、を備える。
【０００９】
好ましくは、本発明の回転スイッチ装置は、回転ツマミのシャフト咬合部が、シャフトの回転軸と直交する断面において略Ｄ字状に規定される内部空間を有し、回転スイッチのシャフトが、回転ツマミのシャフト咬合部と咬合する部分において、シャフトの回転軸と直交する断面方向に略Ｄ字状断面を備える。
【００１０】
好ましくは、本発明の回転スイッチ装置は、回転ツマミの円筒状凹部が、シャフトの回転軸と直交する断面においてシャフトの回転軸を中心とする円形に規定される内部空間を有し、回転スイッチのケースの円筒状凸部が、その最大外径が内部空間の直径に略等しい円筒曲面を有する。
【００１１】
好ましくは、本発明の回転スイッチ装置は、回転スイッチのケースの円筒状凸部が、円筒曲面に、ナットが螺合する螺旋溝を有する。
【００１２】
好ましくは、本発明の回転スイッチ装置は、回転ツマミが、少なくとも円筒状凹部が形成された回転ツマミホルダと、回転ツマミホルダと咬合する回転ツマミ体と、から構成される。
【００１３】
好ましくは、本発明の回転スイッチ装置は、回転ツマミホルダが、シャフト咬合部をさらに有する。
【００１４】
好ましくは、本発明の回転スイッチ装置は、回転ツマミホルダが、樹脂から形成され、回転ツマミ体が、アルミニウムを含む金属から構成される。
【００１５】
また、本発明の映像音響機器は、いずれか上記の回転スイッチ装置を含む。
【００１６】
以下、本発明の作用について説明する。
【００１７】
本発明の回転スイッチ装置は、スイッチ部を収容するケースと、ケースから突出して回転するシャフトと、を有する回転スイッチと、シャフトに咬合して回転操作される回転ツマミと、を備える。本発明の回転スイッチ装置が用いられる映像音響機器では、使用者は、回転ツマミを介して回転スイッチを操作する。
【００１８】
回転ツマミは、回転スイッチのシャフトと咬合するシャフト咬合部を備える。回転ツマミのシャフト咬合部は、シャフトの回転軸と直交する断面において略Ｄ字状に規定される内部空間を有し、同じ断面方向に略Ｄ字状断面を備える回転スイッチのシャフトと咬合する。したがって、使用者は、咬合した回転ツマミを介して回転スイッチのシャフトを回転させ、回転スイッチを操作することができる。また、回転ツマミは、シャフトの回転軸と直交する断面において円形に規定される内部空間を有する円筒状凹部を備える。円筒状凹部の内部空間を規定する円形は、その中心軸がシャフトの回転軸と一致する。
【００１９】
一方、回転スイッチのケースは、ケースから円筒状に突出し、かつ、その中心軸がシャフトの回転軸と一致する円筒状凸部を備える。この円筒状凸部は、その最大外径が内部空間の直径に略等しい円筒曲面を有する。好ましくは、円筒曲面にナットが螺合する螺旋溝を有していてもよい。回転スイッチのケースから円筒状に突出した円筒状凸部は、その中心軸がシャフトの回転軸と一致するので、回転ツマミの円筒状凹部と嵌合して回転ツマミの回転精度を規制する。したがって、簡単な構成で、回転スイッチ装置のツマミのガタつきを高い精度に収めることができる。
【００２０】
好ましくは、回転ツマミは、少なくとも円筒状凹部が形成された回転ツマミホルダと、回転ツマミホルダと咬合する回転ツマミ体と、から構成される。回転ツマミホルダは、シャフト咬合部をさらに有していてもよい。回転ツマミホルダは、樹脂から形成され、回転ツマミ体は、アルミニウムを含む金属から構成される。アルミニウムを含む金属から構成される前面パネルが用いられる映像音響機器においても、回転ツマミの回転精度を高めガタつきを減少させた回転スイッチ装置が提供される。
【発明の効果】
【００２１】
本発明の回転スイッチ装置およびこれを用いた映像音響機器は、簡単な構成で、回転スイッチのツマミのガタつきを高い精度に収めることができる。
【発明を実施するための最良の形態】
【００２２】
本発明の回転スイッチ装置およびこれを用いた映像音響機器は、前面パネルにツマミの回転精度を規制する嵌合構造を設けることができない場合であっても、簡単な構成で、ツマミのガタつきを高い精度に収めた回転スイッチ装置を提供するという目的を、回転スイッチ装置が、スイッチ部を収容するケースと、ケースから突出して回転するシャフトと、を有する回転スイッチと、シャフトに咬合して回転操作される回転ツマミと、を備える回転スイッチ装置であって、回転スイッチのケースが、ケースから円筒状に突出し、かつ、その中心軸がシャフトの回転軸と一致する円筒状凸部を備え、回転ツマミが、シャフトと咬合するシャフト咬合部と、円筒状凸部と嵌合する円筒状凹部と、を備えるようにすることにより、実現した。
【００２３】
以下、本発明の好ましい実施形態による回転スイッチ装置およびこれを用いた映像音響機器について説明するが、本発明はこれらの実施形態には限定されない。
【実施例１】
【００２４】
図１は、本発明の好ましい実施形態による回転スイッチ装置１について説明する図であり、回転スイッチ装置１を備える映像音響機器（全体は図示しない）の操作部分を正面から見た図である。例えば、回転スイッチ装置１は、前面パネル３から突出した回転ツマミ２を回転させることにより、ＡＶレシーバー等の映像音響機器の入出力信号もしくは機能を選択するセレクタであり、前面パネル３の裏側には、回転ツマミ２を介して（図１では図示されない）回転スイッチ１０が設けられている。回転ツマミ２は、Ｘ−Ｘ’軸およびＹ−Ｙ’軸の交点を通過し、かつ、これらの軸と直交するＺ軸を回転軸として回転する。なお、回転ツマミ２は、後述する回転ツマミホルダ２１と、回転ツマミホルダ２１と咬合する回転ツマミ体２６と、から構成される。
【００２５】
図２は、回転スイッチ装置１を説明するＹ−Ｙ’断面図である。また、図３は、回転スイッチ装置１を構成する各部品をＺ軸方向に展開して説明するＹ−Ｙ’断面図である。なお、図１〜３において、説明に不要な部分および回転スイッチ１０の内部構造は省略されている。
【００２６】
回転スイッチ装置１は、映像音響機器の前面パネル３に設けられており、前面パネル３は、上面側で天板４と、下面側で底板５と連結している。前面パネル３は、例えば、樹脂を射出成型して形成された部材であり、Ｚ軸を中心とする円孔３１および回転ツマミ２の一部を収容する凹部３２を備える。前面パネル３の内面側には、回転スイッチ１０を固定するブラケット６が設けられており、前面パネル３もしくは天板４、底板５と連結している。ブラケット６は、金属板をプレス加工して形成した部材であり、Ｚ軸を中心とする円孔６１を備え、回転スイッチ１０を後述するナット７により固定する。
【００２７】
前面パネル３の内面側において、回転スイッチ１０は、基板８に端子１５および１６を介して電気的に接続される。回転スイッチ１０は、スイッチ部（図示しない）を収容するケース１１と、ケース１１から突出してＺ軸を回転軸として回転するシャフト１２と、を有する。シャフト１２が回転することにより、ケース１１内のスイッチ部における電気的接続が変更され、回転スイッチ装置１はセレクタとして機能する。このシャフト１２は、先端側が円筒の一部を切り欠いたようになっており、Ｚ軸と直交するＡ−Ａ’断面において略Ｄ字状断面を備える。なお、この略Ｄ字状断面を備えるシャフト１２の先端側を、Ｄカット１３という。
【００２８】
回転スイッチ１０のケース１１は、ケース１１から円筒状に突出し、かつ、その中心軸がシャフト１２の回転軸（つまりＺ軸）と一致する円筒状凸部１４を備える。この円筒状凸部１４を形成する円筒曲面には、ナット７が螺合する螺旋溝が設けられており、回転スイッチ１０をブラケット６の円孔６１に固定することができる。すなわち、ブラケット６が、円筒状凸部１４の螺旋溝に螺合するナット７と、回転スイッチ１０のケース１１との間に挟み込まれるので、回転スイッチ１０は、ブラケット６に強固に固定される。
【００２９】
回転ツマミ２は、回転ツマミホルダ２１と、回転ツマミホルダ２１と咬合する回転ツマミ体２６と、から構成される。回転ツマミホルダ２１は、回転スイッチ１０のシャフト１２のＤカット１３に咬合するシャフト咬合部２２を備える。シャフト咬合部２２は、シャフト１２の回転軸と直交する断面において略Ｄ字状に規定される内部空間を有しており、同じ断面方向に略Ｄ字状断面を備えるＤカット１３と咬合する。図１における回転ツマミホルダ２１を指す点線は、回転ツマミホルダ２１のＺ軸と直交するＢ−Ｂ’断面を投影している。また、回転ツマミ体２６は、回転ツマミホルダ２１と、回転ツマミホルダ２１と咬合する円筒状凹部２７とを備え、回転ツマミ２を構成する。したがって、この映像音響機器の回転スイッチ装置１を操作する使用者は、咬合した回転ツマミ２を介して回転スイッチ１０のシャフト１２を回転させることができる。
【００３０】
回転ツマミホルダ２１は、Ｚ軸と直交する断面において円形に規定される内部空間を有する円筒状凹部２３を備える。円筒状凹部２３の内部空間を規定する円形は、その中心軸がＺ軸、すなわち、シャフト１２の回転軸と一致する。また、円筒状凹部２３の内部空間の直径φＣは、好ましくは、回転スイッチ１０の円筒状凸部１４を形成する円筒曲面の直径φＤと略等しい。φＣは、φＤよりも若干大きい程度であってもよく、φＣ≧φＤであればよい。その結果、円筒状凸部１４は、円筒状凹部２３と嵌合して、回転ツマミホルダ２１の回転精度を規制する。つまり、回転スイッチ１０のシャフト１２が回転する際に、スイッチ部の構造上の理由から許容されるようなガタがシャフト１２にある場合であっても、回転ツマミホルダ２１に円筒状凸部１４と嵌合する円筒状凹部２３を設けることにより、シャフト１２の回転精度を規制することができる。その結果、回転スイッチ装置１の回転ツマミ２のガタつきを高い精度に収めることができる。
【００３１】
例えば、回転スイッチ１０のシャフト１２の直径が６．０ｍｍで、シャフト先端におけるＸ軸方向およびＹ軸方向のガタが±１．０ｍｍ以下で、回転スイッチ１０の円筒状凸部１４を形成する円筒曲面の直径φＤが８．８０ｍｍである場合には、回転ツマミホルダ２１の円筒状凹部２３の内部空間の直径φＣを８．８５ｍｍ〜９．００ｍｍとすることにより、ガタつきを抑制できる。円筒状凸部１４と円筒状凹部２３とが嵌合するので、シャフト１２のガタ、つまり、回転ツマミ２のガタが｜φＣ−φＤ｜≦０．２０ｍｍ以下に規制され、±１．０ｍｍよりも小さくなるからである。好ましくは、直径φＣを８．９０ｍｍ〜８．９５ｍｍとすることにより、ほとんどガタつかない精度の高い回転スイッチ装置１を実現できる。
【００３２】
回転スイッチ１０の円筒状凸部１４を形成する円筒曲面には、ナット７が螺合する螺旋溝が設けられているので、これと嵌合する回転ツマミホルダ２１の円筒状凹部２３の内部空間の深さは、シャフト１２に嵌合したときにナット７と接触しないようにし、かつ、十分な長さに渡って嵌合するようにして、決定される。具体的には、例えば、前段に記載の回転スイッチ１０の場合には、ナット７は、Ｍ９のナットであり、円筒状凸部１４と円筒状凹部２３とは、Ｚ軸方向に３．５ｍｍ以上に渡って嵌合していればよい。その結果、ほとんどガタつかない精度の高い回転スイッチ装置１が実現される。
【００３３】
回転ツマミホルダ２１と咬合する回転ツマミ体２６は、回転ツマミ２を構成する。例えば、具体的には、回転ツマミホルダ２１は樹脂から形成され、回転ツマミ体２６はアルミニウムを含む金属から構成される。美観上もしくは触感上の理由から、映像音響機器の回転スイッチ装置１の回転ツマミ２を、前面側から見たときにアルミニウムを含む金属にしたい場合でも、回転ツマミ２の全体を金属で構成するよりも軽量で安価にすることができ、さらに、ほとんどガタつかない精度の高い回転スイッチ装置１が実現される。同時に回転ツマミ２の回転時の偏心が減少し、回転スイッチ装置１の精密感が向上する。
【００３４】
なお、本発明は上記実施例に限定されない。回転スイッチ１０をブラケット６に取り付ける場合に、円筒状凸部１４を形成する円筒曲面にナット７が螺合する螺旋溝が設けられていなければ、ナット７ではなく他の固定手段により回転スイッチ１０をブラケット６に取り付ければよい。例えば、回転スイッチ１０のケース１１にブラケット６と連結するためのネジ孔が設けられていれば、ネジにより固定してもよい。もちろん、ブラケット６は、映像音響機器のシャーシを構成する前面パネル３、天板４もしくは底板５のいずれかに連結していればよく、また、これらのシャーシ構成部材と一体になっていてもよい。また、ブラケット６が省略される場合には、基板８に固定されているだけでもよい。
【００３５】
また、回転ツマミ２は、回転ツマミホルダ２１と咬合する回転ツマミ体２６とが、一体に構成されていてもよい。回転ツマミ２は、シャフト１２と咬合するシャフト咬合部２２と、円筒状凸部１４と嵌合する円筒状凹部２３と、を備えていればよい。シャフト咬合部２２は、Ｄカットに限らずシャフト１２と連動するように咬合する組み合わせであれば、シャフト１２の先端部分の形状に合わせて選択可能である。回転ツマミ２の円筒状凹部２３は、回転スイッチ１０の円筒状凸部１４と嵌合するものであればよい。
【００３６】
また、回転スイッチ装置１は、ＡＶレシーバー等の映像音響機器の入出力信号もしくは機能を選択するセレクタに限られない。回転スイッチ１０は、ロータリエンコーダや、ボリュームなと、回転軸を中心に回転するシャフトを備えるデバイスであればよく、そのデバイスのシャフトに、ツマミ、ノブ、ダイアル等が取り付けられて構成される回転スイッチ装置であればよい。
【産業上の利用可能性】
【００３７】
本発明の回転スイッチ装置は、映像音響機器のみならず、使用者が回転操作する操作デバイスを備える電気電子装置にも適用が可能である。
【図面の簡単な説明】
【００３８】
【図１】本発明の好ましい実施形態による回転スイッチ装置１について説明する図である。（実施例１）
【図２】本発明の好ましい実施形態による回転スイッチ装置１について説明する断面図である。（実施例１）
【図３】本発明の好ましい実施形態による回転スイッチ装置１について説明する断面図である。（実施例１）
【符号の説明】
【００３９】
１            回転スイッチ装置
２            回転ツマミ
３            前面パネル
４            天板
５            底板
６            ブラケット
７            ナット
１０          回転スイッチ
１１          ケース
１２          シャフト
１３          Ｄカット
１４          円筒状凸部
２１          回転ツマミホルダ
２２          シャフト咬合部
２３          円筒状凹部
２６          回転ツマミ体
２７          円筒状凹部
【図１】
2007059064.tif 000003
【図２】
2007059064.tif 000004
【図３】
2007059064.tif 000005